(57)【要約】【課題】  シャッタチャンスを逃すことなく、撮影された画像の状態、カメラの設定状態および撮影補助情報を確認することができる撮像装置を提供する。【解決手段】  ファインダ装置１３０に、物体の光学像を表示するための第１表示領域１９１、および情報表示を行うための第２表示領域１９０ｄを設ける。第１表示領域１９１と第２表示領域１９０ｄは接眼窓１６８を通して同時に観察可能である。第２表示領域１９０ｄには、撮像素子１２７によって光電変換された電子画像が表示される。  第２表示領域１９０ｄに表示される電子画像は、撮影条件等により自動拡大が可能であり、電子画像の視認性を高めている。【選択図】  図１１
2010016613.tif 000002
【特許請求の範囲】
【請求項１】
撮影レンズにより結像された被写体像を光電変換する撮像素子と、
前記被写体像が光学像として観察される第１表示領域と、表示手段により表示される前記撮像素子によって光電変換された電子画像が観察される第２表示領域とを、接眼窓を通して同時に観察可能であるファインダ手段と、
前記電子画像の表示倍率を調整する表示倍率調整手段とを有する撮像装置。
【請求項２】
合焦状態を検出する合焦状態検出手段とを有し、
前記表示倍率調整手段は、前記合焦状態検出手段によって検出された被写体像中の合焦領域を中心として表示倍率を大きくすることを特徴とする請求項１に記載の撮像装置。
【請求項３】
前記表示倍率調整手段は、被写体像全体に対する合焦領域を一時的に表示した後に、表示倍率を大きくすることを特徴とする請求項２に記載の撮像装置。
【請求項４】
被写体像から顔領域を検出する顔領域検出手段とを有し、
前記表示倍率調整手段は、前記顔領域検出手段によって検出された被写体像中の顔領域を中心として表示倍率を大きくすることを特徴とする請求項１に記載の撮像装置。
【請求項５】
前記表示倍率調整手段は、被写体像全体に対する顔領域を一時的に表示した後に、表示倍率を大きくすることを特徴とする請求項４に記載の撮像装置。
【請求項６】
前記撮影レンズに加えられる振れを検出する振れ検出手段とを有し、
前記表示倍率調整手段は、前記振れ検出手段によって検出された振れの大きさに基づいて表示倍率を調整することを特徴とする請求項１に記載の撮像装置。
【発明の詳細な説明】
【技術分野】
【０００１】
本発明は、電子画像を撮影する撮像装置に関する。
【背景技術】
【０００２】
従来、この種の撮像装置として、光学ファインダと電子ファインダとを切り替え可能とし、撮影姿勢を崩さずに再生画像の確認動作を容易にしたカメラが知られている（特許文献１参照）。このカメラは、撮影レンズを通った物体像を光学的にファインダに導く第１のファインダ系と、撮像素子および表示装置を介して電子的にファインダに導く第２のファインダ系とを有する。また、このカメラは、これら両ファインダ系の有効状態を切り替えるファインダ切替部を有する。また、このカメラは、蓄積部に記録する記録モードとこの蓄積部から読み出して表示装置に表示する再生モードとを切り替えるモード切替部と、これら両モードの切り替えを行う制御部とを有する。
【０００３】
このカメラでは、制御部が記録モードから再生モードに切り替えたときに、ファインダ切替部は、ファインダ系を強制的に第２のファインダ系の有効状態に切り替える。そして、制御部が再び記録モードに切り替えを戻したときには、ファインダ切替部は、元の記録モードで有効状態とされていた方のファインダ系に自動復帰する。
【０００４】
また、撮影者がファインダを覗くだけで、演算された適正露出値およびその前後の露出値とが撮影画面内に占める割合を知ることができるカメラが知られている（特許文献２参照）。このカメラは、ファインダ内のフォーカシングスクリーンで物体像を、またその近くの表示装置で物体の輝度分布と、シャッタ速度や絞りなどのカメラの露光条件をそれぞれ示すように構成されている。このカメラは、物体像を２次元の碁盤の目状に分割し、各目ごとに輝度を測定し、カメラ内のＣＰＵで処理する。そして、カメラは、設計した露光条件に最適な輝度の目の数を中央に、これより高輝度の目の数をその右側に、低輝度の目の数を左側にそれぞれヒストグラムとして表示装置に表示している。
【特許文献１】特開２００４−３５７１２３号公報
【特許文献２】特開平０６−２８２００４号公報
【発明の開示】
【発明が解決しようとする課題】
【０００５】
しかしながら、上記従来の撮像装置では、以下に掲げる問題があった。特許文献１に記載のカメラでは、再生モードに切り替えたときに、撮影レンズを通った物体像を光学的にファインダに導く第１のファインダ系と、撮像素子および表示装置を介して電子的にファインダに導く第２のファインダ系とが単に切り替わるだけであった。従って、第２のファインダ系が使用されているときには、物体像を観察することができず、折角のシャッタチャンスを逃してしまうことが多々あった。
【０００６】
また、特許文献２に記載のカメラでは、ファインダを通して演算された適正露出値とその前後の露出値とが撮影画面内に占める割合を知ることができるものの、好ましい写真を撮影するために必要な様々な条件を確認することはできなかった。例えば、適切なホワイトバランスが設定されているか否か、画像振れが生じないシャッタスピードが設定されているか否か、ピントが物体に合っているか否か、撮像素子防振の結果として構図が意図したものから外れていないか否かといった条件が確認できなかった。また、光学ローパスフィルタ上に塵埃などの異物が付着していないか否か、カラー写真を撮ろうとしているにもかかわらず、意図せず白黒写真モードに設定されていないか否かといった条件も確認できなかった。
【０００７】
そこで、本発明は、上記問題点に鑑みなされたものであり、シャッタチャンスを逃すことなく、撮影された画像の状態、カメラの設定状態および撮影補助情報を確認することができる撮像装置を提供することを目的とする。
【課題を解決するための手段】
【０００８】
上記目的を達成するために、本発明の撮像装置は、  撮影レンズにより結像された被写体像を光電変換する撮像素子と、前記被写体像が光学像として観察される第１表示領域と、表示手段により表示される前記撮像素子によって光電変換された電子画像が観察される第２表示領域とを、接眼窓を通して同時に観察可能であるファインダ手段と、前記電子画像の表示倍率を調整する表示倍率調整手段とを有することを特徴とする。
【発明の効果】
【０００９】
本発明の請求項１に係る撮像装置によれば、物体の光学像の観察を可能としたままで、電子画像を以って撮影された画像の状態、カメラの設定状態および撮影補助情報を確認可能である。従って、シャッタチャンスを逃すといったことの少ない新規のカメラを実現することができる。また、表示倍率調整手段を備えることにより電子画像の拡大を行うことで画像の視認性を高めている。
【発明を実施するための最良の形態】
【００１０】
本発明の撮像装置の実施の形態について図面を参照しながら説明する。本実施形態の撮像装置はデジタル一眼レフカメラに適用される。
【００１１】
［第１の実施形態］
本実施形態のデジタル一眼レフカメラは、ＣＭＯＳやＣＣＤ等の撮像素子で物体像（被写体像）を撮像するスチルカメラである。このデジタル一眼レフカメラでは、撮像動作の開始を指示するためのレリーズ釦がカメラの外装筐体に設けられている。また、このカメラは、撮像モードとして、レリーズ釦を押し続けている間、撮像動作を繰り返す連続撮像モード（連写モード）を備えている。カメラは、この連写モードが選択された状態でレリーズ釦が操作されている間、物体像観察用可動ミラーを撮像光路外に退避させ、物体像（被写体像）を電子画像に光電変換する撮像動作を繰り返し行うようになっている。
【００１２】
図１は第１の実施形態におけるデジタル一眼レフカメラの電気回路の概略的構成を示す図である。デジタル一眼レフカメラ５０は、カメラ全体の動作シーケンスを司るＣＰＵ１４１、照明ユニット１０１、撮影レンズ１２０、可動ミラー１２４、シャッタ１２６および撮像手段である撮像素子１２７を有する。撮像素子１２７はアスペクト比３：２の矩形の撮像部を有する。
【００１３】
また、デジタル一眼レフカメラ５０は、ファインダ装置１３０、焦点検出装置１３９、内蔵プリンタ１６０、ズーム・ピント・防振駆動回路１３４、絞り駆動回路１３５、ミラー駆動回路１３６およびＡＦセンサ駆動回路１３７を有する。
【００１４】
また、デジタル一眼レフカメラ５０は、シャッタ駆動回路１３８、除塵機構駆動回路１６９、プリンタ制御回路１６１、撮像素子防振制御回路１７２、ＧＰＳ回路１６２、無線通信回路１６３およびデジタルテレビチューナ１６４を有する。プリンタ制御回路１６１は内蔵プリンタ１６０を制御する。撮像素子防振制御回路１７２は撮像素子１２７の位置を動かして画像の振れを止める。ＧＰＳ回路１６２はカメラの位置を計測する。
【００１５】
また、デジタル一眼レフカメラ５０は、赤外線通信回路１７０、音声処理回路１６５および画像改ざん検知用データ処理回路１６６を有する。赤外線通信回路１７０は携帯電話等との間で比較的少ないデータ量の通信を行う。音声処理回路１６５には、マイクやスピーカが含まれる。
【００１６】
また、デジタル一眼レフカメラ５０は、スイッチ入力部１４２、ＥＥＰＲＯＭ１４３、信号処理回路１４５、照明制御回路１４６、ＥＰＲＯＭ１４７、ＳＤＲＡＭ１４８およびフラッシュメモリ１５０を有する。
【００１７】
撮影レンズ１２０は、複数のレンズ群１２１、１６７、１２３から構成され、これらのレンズ群の間には、絞り機構１２２が設けられている。レンズ群１２１、１６７、１２３はズーム・ピント・防振駆動回路１３４によって駆動される。また、絞り機構（単に絞りという）１２２は絞り駆動回路１３５によって駆動される。
【００１８】
レンズ群１２１、１６７、１２３の後方には、可動ミラー１２４が設けられている。可動ミラー１２４は、ハーフミラーおよびその保持機構から構成され、第１の位置であるミラーダウンの位置と第２の位置であるミラーアップの位置に移動自在である。可動ミラー１２４は、露光時（撮像時）に、固定軸１２４ａの周りに回転しながら、第１の位置からフォーカシングスクリーン１３１に向けて、ミラーアップの位置である第２の位置に跳ね上がり、撮影光路から待避する。また、可動ミラー１２４の中央部分の背面には、凹面鏡で構成されたサブミラー１２５が図中下方に物体光を反射するように設けられている。
【００１９】
サブミラー１２５の反射光軸の下方には、２つのレンズで像分離を行う再結像光学系１２８が設けられ、さらに、再結像光学系１２８による物体像の結像位置には、ＡＦセンサ１２９が設けられている。ＡＦセンサ１２９には、ＡＦセンサ駆動回路１３７が接続されている。
【００２０】
なお、サブミラー１２５、再結像光学系１２８およびＡＦセンサ１２９は、焦点検出装置１３９を構成する。焦点検出装置１３９は、公知の位相差検出方式によって、撮像素子１２７上の複数の位置において物体の結像状態を検出する。
【００２１】
ズーム・ピント・防振駆動回路１３４は、既知の電磁モータ、超音波モータ等の駆動源、これらの駆動源を制御するドライバ回路、レンズの位置を検出するエンコーダ装置等から構成されている。ズーム制御およびピント制御では、レンズ群１２１、１６７、１２３の光軸方向の位置が制御される。また、防振制御では、レンズ群１６７の光軸と直交する方向の位置が制御される。
【００２２】
可動ミラー１２４の反射光路上には、観察手段であるファインダ光学系が設けられている。ファインダ光学系は、フォーカシングスクリーン１３１、光学ガラスからなるペンタプリズム１３２、接眼窓である接眼レンズ１３３等から構成される。ファインダ装置１３０は、このファインダ光学系に、表示手段である液晶表示器１０８、プリズム１５４、測光レンズ１５５、測光センサ１５６等を加えた構成を有する。
【００２３】
撮影レンズ１２０のレンズ群１２１、１６７、１２３を透過した物体光（入射光）は、可動ミラー１２４で反射され、フォーカシングスクリーン１３１上に結像される。観察者は、このフォーカシングスクリーン１３１に結像された光学物体像（光学像）を、ペンタプリズム１３２および接眼レンズ１３３を介し、単一の接眼窓１６８を通して視認する。光学像を観察する利点は、時間遅れが事実上無いことである。
【００２４】
測光センサ１５６は、測光レンズ１５５を介してフォーカシングスクリーン１３１上の物体像の明るさを測光するためのセンサである。測光センサ１５６は、ファインダ装置１３０内の、接眼レンズ１３３の観察光軸から偏心した測光軸上の位置に測光レンズ１５５とともに設けられている。また、測光センサ１５６は、複数に分割された受光面を有するフォトダイオードで形成されている。ＣＰＵ１４１は、測光センサ１５６のフォトダイオードから個々に出力された輝度出力に対し、焦点検出装置１３９によるフォーカシングスクリーン１３１上の測距位置に応じた演算を施す。そして、ＣＰＵ１４１は、この演算結果から露光制御を行うための物体輝度情報（ＢＶ値）を求める。
【００２５】
可動ミラー１２４の後方には、シャッタ１２６、除塵機構１６９、およびＣＣＤやＣＭＯＳイメージャ等の撮像素子１２７が設けられている。
【００２６】
シャッタ１２６は、シャッタ駆動回路１３８によって駆動されて所定秒時開放し、物体像を撮像素子１２７の受光面に導くものである。可動ミラー１２４がミラー駆動回路１３６により駆動され、撮影レンズ１２０の光軸上から退避するために第２の位置に上昇し、シャッタ１２６がシャッタ駆動回路１３８により駆動され、開状態になる。これにより、撮像素子１２７の受光面に物体像が導かれ、撮像動作が行われる。この際、振れ補正手段である撮像素子防振制御回路１７２および撮像素子防振制御回路１７２に接続された撮像素子防振機構１７１は、画像の振れを打ち消す方向に撮像素子１２７をシフトおよび回転させ、画像が流れて解像感が失われることを防ぐ。
【００２７】
なお、撮像素子防振機構１７１は、ファインダ装置１３０への光路の分割位置よりも撮像素子１２７よりにあるので、撮像素子１２７のシフトや回転による構図の変化をファインダ装置１３０で確認することはできない。
【００２８】
除塵機構１６９は、光学ローパスフィルタや赤外線カットフィルタを機械的に振動させ、これらに付着した異物に加速度を与え、それによって発生する力で異物を振るい落とすものである。
【００２９】
マイクロプロセッサで構成されるＣＰＵ１４１には、データバス１５２を介して、ズーム・ピント・防振駆動回路１３４、絞り駆動回路１３５、ミラー駆動回路１３６、ＡＦセンサ駆動回路１３７および除塵機構駆動回路１６９が接続されている。また、ＣＰＵ１４１には、データバス１５２を介して、シャッタ駆動回路１３８、プリンタ制御回路１６１、撮像素子防振制御回路１７２、ＧＰＳ回路１６２、無線通信回路１６３、デジタルテレビチューナ１６４および赤外線通信回路１７０も接続されている。また、ＣＰＵ１４１には、データバス１５２を介して、前述した音声処理回路１６５、画像改ざん検知用信号処理回路１６６および照明制御回路１４６も接続されている。また、ＣＰＵ１４１には、データバス１５２を介して、スイッチ入力部１４２、および不揮発性メモリであるＥＥＰＲＯＭ１４３が接続されている。
【００３０】
スイッチ入力部１４２は、カメラの外装筐体に設けられたレリーズ釦（図示せず）の半押し操作に連動してオンになる第１レリーズスイッチ、および同レリーズ釦の深押し操作に連動してオンになる第２レリーズスイッチを有する。また、スイッチ入力部１４２は、カメラのパワースイッチに連動するスイッチ、カメラ内の各種モード釦に連動するモードスイッチ等の複数のスイッチを有する。スイッチ入力部１４２は、いずれかのスイッチ操作に基づく操作信号をＣＰＵ１４１に供給する。
【００３１】
ＥＥＰＲＯＭ１４３は不揮発性の半導体メモリである。ＥＥＰＲＯＭ１４３には、生産工程において、個々のカメラのばらつきを抑えて出荷するために必要なカメラの固体毎の調整値が格納されている。また、ＥＥＰＲＯＭ１４３には、測光センサ１５６からの出力により、ＣＰＵ１４１が後述するバックライト１０８ｂの光量を規定するためのＢＶ値とバックライト光量の関係を示す係数等が格納されている。
【００３２】
ＣＰＵ１４１は、第１レリーズスイッチがオンになると、ＡＦセンサ駆動回路１３７を制御し、ＡＦセンサ１２９上の２像間の距離を演算し、その距離データからズーム・ピント・防振駆動回路１３４を制御し、撮影レンズ１２０の焦点調整を行う。
【００３３】
また、ＣＰＵ１４１は、第２レリーズスイッチがオンになると、ミラー駆動回路１３６を制御し、可動ミラー１２４を光軸上から第２の位置に退避させる。ＣＰＵ１４１は、この退避制御とともに、測光センサ１５６の出力に基づく物体輝度情報を基に、適正絞り値、シャッタ秒時および撮像素子感度を求める。ＣＰＵ１４１は、求めた絞り値で絞り駆動回路１３５を介して絞り機構１２２を駆動させる。ＣＰＵ１４１は、求めたシャッタ秒時でシャッタ駆動回路１３８を介してシャッタ１２６を駆動させる。
【００３４】
また、ＣＰＵ１４１は、ＥＥＰＲＯＭ１４３に格納されたＢＶ値とバックライト光量の関係を示す係数を参照し、バックライト１０８ｂに供給する電流量を決定し、視認するに適切な光量を得る。
【００３５】
シャッタ１２６の開動作によって、物体像が撮像素子１２７の受光面に結像すると、この物体像は、アナログ画像信号に変換され、さらに、信号処理回路１４５においてデジタル画像信号に変換される。
【００３６】
信号処理回路１４５は、その内部にＲＩＳＣプロセッサ、カラープロセッサ、ＪＰＥＧプロセッサを含み、デジタル画像信号の圧縮・伸張処理、ホワイトバランス処理、エッジ強調処理等の画像処理を行う。また、信号処理回路１４５は、液晶表示器１０８に出力されるコンポジット信号（輝度信号、色差信号）への変換処理等を行う。
【００３７】
ＣＰＵ１４１および信号処理回路１４５は、通信ライン１５３で接続されている。この通信ライン１５３を介して、画像信号の取り込みタイミング等の制御信号やデータの送受が行われる。
【００３８】
信号処理回路１４５で生成されたコンポジット信号は、ファインダ装置１３０内の液晶表示器１０８に出力され、電子物体像が表示される。この液晶表示器１０８は、ペンタプリズム１３２と接眼レンズ１３３の間に設けられている。液晶表示器１０８は、カラー画像を表示するための表示素子であるＬＣＤ（液晶表示素子）１０８ａ、およびこのＬＣＤ１０８ａの表示面を後方から照明するためのバックライト１０８ｂから構成される。バックライトライト１０８ｂには、例えば白色ＬＥＤが用いられる。
【００３９】
ペンタプリズム１３２には、第３反射面１３２ａを延長した面１５４ｂを有し（図３参照）、ペンタプリズム１３２と同一の屈折率を有するプリズム１５４がインデックスマッチングを取った接着剤を用いて固着されている。液晶表示器１０８を発した光線は、プリズム１５４の内部で２回反射し、接眼レンズ１３３の方向へ導かれる。この際、液晶表示器１０８のＬＣＤ１０８ａの表示面は、面１５４ａの曲率によって、フォーカシングスクリーン１３１と光学的に等価な位置となっている。そして、可動ミラー１２４が第１の位置にあるか第２の位置にあるかに拘わらず、ＬＣＤ１０８ａに表示された画像は接眼窓１６８を通して観察可能である。なお、ＬＣＤ１０８ａに表示された画像の明るさは、バックライト１０８ｂである白色ＬＥＤの電流供給量を変化させることで、適切な明るさに調整される。
【００４０】
信号処理回路１４５は、データバス１５１を介して、ＥＰＲＯＭ１４７、ＳＤＲＡＭ（シンクロナスダイナミックランダムアクセスメモリ）１４８およびフラッシュメモリ１５０に接続されている。
【００４１】
ＥＰＲＯＭ１４７には、信号処理回路１４５に含まれるプロセッサ（ＣＰＵ）で処理されるプログラムが格納されている。ＳＤＲＡＭ１４８は、画像処理前の画像データや画像処理中の画像データを一時的に記憶する揮発性のメモリである。フラッシュメモリ１５０は、最終的に確定された画像データを記憶する不揮発性のメモリである。ＳＤＲＡＭ１４８は高速動作を行うことができるが、電源供給が停止されるとその記憶内容が消滅する。一方、フラッシュメモリ１５０は低速動作であるが、カメラの電源がオフされても記憶内容が保存される。
【００４２】
照明ユニット１０１は、発光パネル１０３、反射傘１１８およびＲＧＢ各色の高輝度ＬＥＤ１１９を有する。高輝度ＬＥＤを発した光は、直接に、あるいは反射傘１１８で反射され、発光パネル１０３を通過して物体に向けて照射される。なお、照明ユニット１０１は、カメラ本体から取り外されても、内蔵電池（図示せず）によって無線通信回路が機能する。つまり、照明ユニット１０１は、例えばＵＷＢ規格で無線通信回路１６３を介してカメラ本体（カメラ５０）と通信し、カメラ本体側から遠隔操作できるように構成されている。照明制御回路１４６は、ＣＰＵ１４１の制御の下で、ＲＧＢ各色の光量バランスを決定し、高輝度ＬＥＤ１１９への発光指示を制御する。
【００４３】
図２は信号処理回路１４５の電気回路の構成およびそれに接続される周辺回路を示すブロック図である。信号処理回路１４５には、信号処理動作を制御する制御回路としてのＣＰＵ５００、およびＣＰＵ５００に接続され、ＣＰＵ５００からの制御信号に従って動作する複数の回路が含まれている。また、ＣＰＵ５００は、通信ライン１５３を介してカメラシーケンス制御用のＣＰＵ１４１と接続されており、ＣＰＵ１４１から送信された制御信号に従って、信号処理回路１４５内の各回路を制御する。信号処理回路１４５内には、複数の回路として、第１の画像処理回路５０１、間引き・抽出処理回路５０２、第２の画像処理回路５０６および第３の画像処理回路５０３が設けられている。また、信号処理回路１４５内には、ビデオデコーダ５０４、ホワイトバランス処理回路５０５およびＪＰＥＧ圧縮／伸張処理回路５０７が設けられている。
【００４４】
第１の画像処理回路５０１は、ＣＰＵ５００で設定された駆動条件に従って、撮像素子１２７を駆動し、撮像素子１２７から出力されたアナログ画像信号をＡ／Ｄ変換してデジタル画像信号を生成する前段処理回路である。また、第１の画像処理回路５０１は、撮像素子１２７の遮光部分の画素信号に基づき、デジタル画像信号を補正する。
【００４５】
間引き・抽出処理回路５０２は、第１の画像処理回路５０１から出力されたデジタル画像信号の間引き処理を行い、第２の画像処理回路５０６および第３の画像処理回路５０３に出力する。ここで、間引き処理とは、解像度を低下させる処理である。なお、第３の画像処理回路５０３に出力されるデジタル画像信号は、液晶表示器１０８に表示される電子物体像の信号である。
【００４６】
ここで、第２の画像処理回路５０６に出力されるデジタル画像信号の間引きの度合いは、撮影者が設定した解像度に応じて、ＣＰＵ５００によって指示される。また、第３の画像処理回路５０３に出力されるデジタル画像信号の間引きの度合いは、画像表示に適した解像度になるように、ＣＰＵ５００によって指示される。
【００４７】
また、間引き・抽出処理回路５０２は、上記デジタル画像信号の一部を抽出し、ホワイトバランス処理回路（以下、ＷＢ処理回路という）５０５に出力する。デジタル画像信号の抽出の方法はＣＰＵ１４１によって指示される。
【００４８】
ＷＢ処理回路５０５は、画像の色バランス（ホワイトバランス）を調整するためのホワイトバランス情報（ＷＢ情報）を出力する回路である。このＷＢ情報は、第３の画像処理回路５０３に直接送られ、第２の画像処理回路５０６には、ＣＰＵ１４１を経由して送られる。
【００４９】
第３の画像処理回路５０３は、液晶表示器１０８の表示用画像を生成する回路である。第３の画像処理回路５０３は、簡易後段処理回路として、上記デジタル画像信号に対し、γ補正、データビット数の削減、ＷＢ情報に基づく色調整、ＲＧＢ信号からＹＣｂＣｒ信号ヘの変換等の公知の処理を行う。一般的に、液晶表示器１０８に撮像画像を繰り返し表示する場合、ソフトウェアによる処理では速度が間に合わないことが多い。従って、表示のための画像処理は、全て第３の画像処理回路５０３でハードウェア的に処理されるようになっている。
【００５０】
ビデオデコーダ５０４は、上記デジタル画像信号を構成するＹＣｂＣｒ信号をＮＴＳＣ信号に変換して電子物体像を形成し、この電子物体像を液晶表示器１０８のＬＣＤ１０８ａに表示させる。なお、ＬＣＤ１０８ａの表示面は、バックライト１０８ｂによって、ＣＰＵ１４１で規定された光量で後方から照明される。
【００５１】
第２の画像処理回路５０６は、フラッシュメモリ１５０に記憶するための上記デジタル画像信号を生成する回路である。第２の画像処理回路５０６は、後段処理回路として、γ補正、上記デジタル画像信号のデータビット数の削減、ＷＢ情報に基づく色調整、ＲＧＢ信号からＹＣｂＣｒ信号への変換、撮像素子１２７の欠陥画素補正、スミア補正、色相や色度等の公知の処理を行う。
【００５２】
ＪＰＥＧ圧縮／伸張処理回路５０７は、第２の画像処理回路５０６で処理されたデジタル画像信号をフラッシュメモリ１５０に記憶する際、ＪＰＥＧ圧縮処理を行う。また、ＪＰＥＧ圧縮／伸張処理回路５０７は、フラッシュメモリ１５０に記憶されたＪＰＥＧ画像を読み出して伸張する。
【００５３】
図３はファインダ装置１３０の構成を示す断面図である。図４は図３の矢印Ａ方向から視た場合のファインダ装置１３０の構成を示す側面図である。図１に示す可動ミラー１２４で反射・分岐した光路上には、フォーカシングスクリーン１３１、コンデンサレンズ１８０およびペンタプリズム１３２が設けられている。撮影レンズ１２０のレンズ群１２１、１６７、１２３によってフォーカシングスクリーン１３１上に結像した物体光は、コンデンサレンズ１８０およびペンタプリズム１３２を透過し、面１３２ｂからアイカップ１８６で囲まれた接眼窓１６８の方向へ射出する。この際、物体光は、ダイクロミラー１８２を透過し、３つのレンズ１３３ａ、１３３ｂ、１３３ｃで構成される接眼レンズ１３３を介して、アイカップ１８６に保護されながら接眼窓１６８を覗く観察者の目に到達し、その網膜上で再結像する。
【００５４】
ダイクロミラー１８２は、有機ＥＬ表示素子１８５を発し、ミラー１８４と視度合わせレンズ１８３を透過した光を接眼窓１６８方向に反射する。視野マスク１７９は、撮像素子１２７で撮像される物体像範囲を示す矩形開口を有する。ファインダ観察者は、有機ＥＬ表示素子１８５に示された焦点位置検出手段である焦点検出装置１３９の合焦位置表示表示手段である測距点位置情報１９７（図８を参照）を視野マスク１７９中の物体像と重ねて見ることができる。
【００５５】
図５は液晶表示器１０８のＬＣＤ１０８ａの画面を示す図である。液晶表示器１０８のＬＣＤ１０８ａは、４：３のアスペクト比を有するカラーの表示部１０８ｃを有する。表示部１０８ｃは、撮像素子１２７と同じ３：２のアスペクト比を有するＬＣＤ表示領域１０８ｄと扁平横長のＬＣＤ表示領域１０８ｅとをそれぞれファインダ視野内の電子画像表示に供している。
【００５６】
また、ＬＣＤ１０８ａのＬＣＤ表示領域１０８ｄを発した光線１９３は、ペンタプリズム１３２の面１３２ｂからペンタプリズム１３２内に入射する。ペンタプリズム１３２内に入射した光線を光線１９２とする。ここで屈折して方向が変化した光線１９２は、次に面１３２ａに入射する。面１３２ａには銀蒸着が施されている。光線１９２はここで反射し、ペンタプリズム１３２に接着により固着されたプリズム１５４に入射する。光線１９２は、銀蒸着が施された面１５４ａで再び反射し、さらに、ペンタプリズム１３２の面１３２ａと連続するプリズム１５４の銀蒸着が施された面１５４ｂに戻ってさらに反射する。そして、光線１９２は、ペンタプリズム１３２の面１３２ｂから接眼窓１６８の方向へ射出する。
【００５７】
このように、プリズム１５４内での反射光路を構成することにより、接眼レンズ１３３からＬＣＤ表示領域１０８ｄまでの光路長は、接眼レンズ１３３からフォーカシングスクリーン１３１までの光路長に近くなる。ＬＣＤ表示領域１０８ｄの視度とフォーカシングスクリーン１３１の視度とはほぼ合致する。
【００５８】
さらに、プリズム１５４の面１５４ａに曲率を付与することで、ＬＣＤ表示領域１０８ｄの視度とフォーカシングスクリーン１３１の視度をより正確に合わせることができる。この際、面１５４ａが平面であっても、もともと両者の視度が近くなっているので、面１５４ａの曲率はごく弱いものでよい。また、面１５４ａの反射光路は偏芯系となるものの、光学諸収差の劣化は無視できる程度である。
【００５９】
図６はペンタプリズム１３２への光線の入射状態を示す図である。ＬＣＤ１０８ａのＬＣＤ表示領域１０８ｄを発した光線１９３のうち、緑色の光線１９３ｇは、ペンタプリズム１３２の面１３２ｂに対して角θ１で斜めに入射し、空気とガラスの界面で屈折し、角θ２でペンタプリズム１３２の内部を進む。ガラスの屈折率の色分散により、光の波長に応じて角θ１と角θ２との関係は異なるので、このままではＬＣＤ表示領域１０８ｄが電子画像表示に供された場合、上下方向の色滲みが発生し、解像感の悪い画像となってしまう。そこで、ＬＣＤ表示領域１０８ｄに表示される電子画像は、予めＲＧＢの画像を色分散によって発生する位置ズレ量だけシフトさせている。
【００６０】
図７はＬＣＤ表示領域１０８ｄに表示される電子画像の位置ズレ状態を示す図である。ＬＣＤ表示領域１０８ｄには、赤色の電子画像１９４ｒ、緑色の電子画像１９４ｇおよび青色の電子画像１９４ｂは上下方向に位置を異ならせてある。この結果、赤色の電子画像１９４ｒ、緑色の電子画像１９４ｇおよび青色の電子画像１９４ｂの対応する位置から発した光線１９３ｒ、１９３ｇ、１９３ｂは、図６に示すように、ペンタプリズム１３２の内部で１本の光線１９２として進行する。そして、最終的に色滲みがほとんど解消された状態で、光線１９２は観察者の目まで到達する。
【００６１】
また、ＬＣＤ１０８ａの表示領域１０８ｅを発した光線１９４（図３参照）は、導光プリズム１８１を経てペンタプリズム１３２の底面からペンタプリズム１３２に入射し、物体光と同じようにペンタプリズム１３２内を反射して面１３２ｂから射出する。
【００６２】
図８はファインダ視野内の表示を示す図である。ファインダ視野内の表示は、第１表示領域１９１、第２表示領域１９０ｄ、第３表示領域１９０ｅおよび測距点位置情報１９７から構成される。第１表示領域１９１は、視野マスク１７９の開口によって規定された物体の光学像を示す。第２表示領域１９０ｄは、第１表示領域１９１の上方にあって、ＬＣＤ１０８ａのＬＣＤ表示領域１０８ｄに基づく画像による情報表示を行う。第３表示領域１９０ｅは、第１表示領域１９１の下方にあって、ＬＣＤ１０８ａのＬＣＤ表示領域１０８ｅに基づく文字列やアイコンによる情報表示を行う。測距点位置情報１９７は、第１表示領域１９１の内部にあって、有機ＥＬ表示素子１８５によって示される。この際、第２表示領域１９０ｄ、第３表示領域１９０ｅおよび測距点位置情報１９７の表示輝度は、いずれも測光センサ１５６および測光レンズ１５５からなる測光装置の出力に基づき、視認するに適切な値に制御される。
【００６３】
図８の第２表示領域１９０ｄに表示される電子画像は、情報表示の１つとして、前回撮影された画像である。この電子画像によれば、光学ローパスフィルタ上に付着した異物が写り込んでしまったことによって、黒点１９５が存在したことが判る。また、撮像素子防振機構１７１が作動したことによって、被写体の上方が欠けた意図しない構図の物体像になってしまっていることが判る。さらには、適切なホワイトバランスが設定されていること、画像が振れていないこと、ピントが物体に合っていることなどが判る。
【００６４】
さらに、画像の属性に対応した所定のマークを画像と同時に表示することによって、その画像に付加された情報を表すことができる。例えば、図８に示したダイヤ形のマーク１９６は、改ざん検知用データ処理回路１６６によって、前回撮影した画像に対し、適切に改ざん検知用データが付加されたことを表している。また、他のカメラで撮影された画像を表示した場合には、改ざん検知判定結果を他のマークで示してもよい。
【００６５】
なお、本実施形態では、液晶表示器１０８を用いたが、この代わりに有機ＥＬ表示器を用いてもよい。この場合、バックライト１０８ｂは不要となる。
【００６６】
上記構成を有するデジタル一眼レフカメラにおいて、ＣＰＵ１４１の動作シーケンスを示す。図９はデジタル一眼レフカメラでスイッチ入力部１４２のレリーズ釦を半押し操作（第１レリーズオン操作）した後に実行される撮像動作手順を示すフローチャートである。このフローチャートは、ＣＰＵ１４１のメインフローチャート内にてコールされるサブルーチンである。なお、ＣＰＵ１４１のメインフローチャートは従来公知の技術であるので、ここでの説明を省略する。
【００６７】
まず、ＣＰＵ１４１は、測光レンズ１５５を介して測光センサ１５６を駆動し、測光を行い、測光センサ１５６からの出力を用いて物体の輝度を測定する（ステップＳ１）。ＣＰＵ１４１は、その輝度情報から露光量（絞り機構１２２の絞り込み量、シャッタ１２６のシャッタスピードおよび撮像素子感度）を所定の演算ブログラムに従って演算する。
【００６８】
ＣＰＵ１４１は、フラッシュメモリ１５０から前回書き込んだ画像データ（デジタル画像信号）を読み出し、ファインダ装置１３０の第２表示領域１９０ｄにその電子画像を表示するように指示する制御信号を、信号処理回路１４５に送出する（ステップＳ２）。信号処理回路１４５は、この制御信号を受けると、上記デジタル画像信号を一時的にＳＤＲＡＭ１４８に格納するとともに、この画像データをコンポジット信号に変換する処理を行う。信号処理回路１４５は、このコンポジット信号を液晶表示器１０８に供給し、ＬＣＤ１０８ａに撮像された電子画像を表示させる。この結果、ファインダ装置１３０の第２表示領域１９０ｄには、前回撮像された電子画像が表示される。なお、既に電子画像が表示されている場合、信号処理回路１４５は、そのまま表示を継続させる。
【００６９】
ＣＰＵ１４１は、バックライト１０８ｂを構成する白色ＬＥＤへの電流供給量を変更することで、バックライト１０８ｂの光量を調整する。ＣＰＵ１４１は、撮像前に測光した物体輝度（輝度情報）に基づき、ＬＣＤ１０８ａに表示された電子物体像を視認するに適切な光量で照明する。
【００７０】
ＣＰＵ１４１は、ＡＦセンサ駆動回路１３７を介してＡＦセンサ１２９を駆動し、撮像レンズ１２０のデフォーカス量（測距値）を測定する（ステップＳ３）。さらに、ＣＰＵ１４１は、この測距値に基づき、レンズ群１２１、１６７、１２３の合焦動作を行う。
【００７１】
この後、ＣＰＵ１４１は、カメラ操作者によってレリーズ釦が深押しされているか否か、つまりスイッチ入力部１４２に接続された第２レリーズスイッチがオンになっているか否かを判別する（ステップＳ４）。
【００７２】
第２レリーズスイッチがオンになっていない場合、ＣＰＵ１４１は、カメラ操作者によってレリーズ釦が半押しされているか否か、つまり第１レリーズスイッチがオンになっているか否かを判別する（ステップＳ１５）。第１レリーズスイッチがオンになっている場合、ＣＰＵ１４１は、レリーズ釦が半押しされている状態であると判断し、ステップＳ１の処理に戻る。一方、第１レリーズスイッチがオンになっていない場合、カメラ操作者がレリーズ釦から指を離したと考えられるので、ＣＰＵ１４１は、そのままメインフローチャートで示されるメインルーチンに復帰する。
【００７３】
一方、ステップＳ４で第２レリーズスイッチがオンになっている場合、ＣＰＵ１４１は、レリーズ釦が深押しされていると判断し、ミラー駆動回路１３６を介して可動ミラー１２４を第１の位置から第２の位置である撮像光路外に退避させる（ステップＳ５）。ＣＰＵ１４１は、ステップＳ５でミラーアップを行った後、ステップＳ１で演算された絞り込み量に基づき、絞り駆動回路１３５を介して絞り機構１２２の絞り込み動作を行う（ステップＳ６）。
【００７４】
ＣＰＵ１４１は、撮像開始を指示する信号を信号処理回路１４５に送出する（ステップＳ７）。信号処理回路１４５は、この信号を受けると、撮像素子１２７の電荷蓄積動作を開始させる。ＣＰＵ１４１は、ステップＳ１で演算されたシャッタスピードに基づき、シャッタ１２６を開閉する（ステップＳ８）。
【００７５】
ＣＰＵ１４１は、シャッタ１２６を閉成した後、信号処理回路１４５に撮像停止を指示する信号を送出する（ステップＳ９）。信号処理回路１４５は、この信号を受けると、撮像素子１２７での電荷蓄積動作を終了させる。さらに、信号処理回路１４５は、撮像素子１２７から画像信号を読み出してアナログデジタル（Ａ／Ｄ）変換を行い、デジタル画像信号に変換する処理、およびこれに付随する画像処理を実行する。
【００７６】
ＣＰＵ１４１は、上記デジタル画像信号の格納および表示を指示する制御信号を信号処理回路１４５に送出する（ステップＳ１０）。信号処理回路１４５は、この信号を受けると、上記デジタル画像信号を一時的にＳＤＲＡＭ１４８の連写データ蓄積領域に順番に格納するとともに、同データをコンポジット信号に変換する処理を行う。信号処理回路１４５は、このコンポジット信号を液晶表示器１０８に供給し、ＬＣＤ１０８ａに撮像された電子画像を表示する。この結果、ファインダ装置１３０の第２表示領域１９０ｄには、その電子画像が表示される。この際、ＣＰＵ１４１は、バックライト１０８ｂを構成する白色ＬＥＤへの電流供給量を変更することで、バックライト１０８ｂの光量を調整する。そして、ＣＰＵ１４１は、撮像前に測光した物体輝度に基づき、ＬＣＤ１０８ａに表示された電子物体像を視認するに適切な光量で照明する。
【００７７】
ＣＰＵ１４１は、絞り駆動回路１３５を介して絞り機構１２２を絞り込み状態から開放状態に戻す（ステップＳ１１）。ＣＰＵ１４１は、ミラー駆動回路１３６を介して可動ミラー１２４を第１の位置である撮像光路内に復帰させる（ステップＳ１２、ミラーダウン）。
【００７８】
ＣＰＵ１４１は、第２レリーズスイッチがオフであるか否かを判別する（ステップＳ１３）。第２レリーズスイッチがオフでない場合、ＣＰＵ１４１は、ステップＳ１の処理に戻り、第２レリーズスイッチがオフになるまでステップＳ１からステップＳ１２までの処理を繰り返す。つまり、この時点で第２レリーズスイッチがオフでない場合、連写は継続される。そして、ファインダ装置１３０には、直前に撮像された電子物体像が動画のように順次表示されることになる。
【００７９】
一方、ステップＳ１３で第２レリーズスイッチがオフである場合、カメラ操作者が連写を終了させようとしていると判断する。この場合、ＣＰＵ１４１は、ＳＤＲＡＭ１４８に一時的に記憶されている連写画像をフラッシュメモリ１５０の所定の記憶領域に記憶するように、信号処理回路１４５に指示する（ステップＳ１４）。この後、ＣＰＵ１４１は、メインルーチンに復帰する。
【００８０】
図１０はＣＰＵ１４１の動作シーケンスに基づくカメラ動作を示すタイミングチャートである。図では、レリーズ釦の半押し操作が行われた後、レリーズ釦の深押し操作によって３コマの撮影が行われ、その後、レリーズ釦の半押し操作が少しの間継続している状態が表されている。
【００８１】
まず、時刻Ｔ１において、第１レリーズスイッチがオフからオンに切り換わると、直ちに測光および露光量演算が行われる。この後、前回撮影された画像Ｓがファインダ装置１３０の第２表示領域１９０ｄに表示される。
【００８２】
時刻Ｔ２において、第２レリーズスイッチがオフからオンに切り換わると、可動ミラー１２４がアップ位置に移動すると共に、撮影レンズ１２０の絞り１２２が絞り込まれる。
【００８３】
時刻Ｔ３において、画像Ａのための撮像素子１２７の電荷蓄積動作が開始され、その間にシャッタ１２６の開閉が行われる。シャッタ１２６が閉じられると、撮像素子１２７の電荷蓄積動作は停止し、画像Ａの画像信号の読み出しおよびＡ／Ｄ変換が開始される。また、絞り１２２の開放動作および可動ミラー１２４のダウン位置への移動動作が行われる。
【００８４】
画像Ａの画像信号の読み出しおよびＡ／Ｄ変換が終了すると、デジタル画像信号は一時的にＳＤＲＡＭ１４８の連写データ蓄積領域に順番に格納される。この画像データはコンポジット信号に変換処理され、このコンポジット信号は液晶表示器１０８に供給されると、ＬＣＤ１０８ａには撮像された画像Ａが表示され、ファインダ装置１３０内の第２表示領域１９０ｄで視認可能となる。なお、画像Ａへの電子画像表示更新指示が出るまで、ファインダ装置１３０の第２表示領域１９０ｄには、画像Ｓが時刻Ｔ１から継続して表示される。
【００８５】
時刻Ｔ４においても、レリーズ釦の深押し操作が継続し、第２レリーズスイッチがオンになっている場合、再び可動ミラー１２４がアップ位置に移動するとともに、撮影レンズ１２０の絞り１２２が絞り込まれる。
【００８６】
時刻Ｔ５において、画像Ｂを撮影するための撮像素子１２７の電荷蓄積動作が開始され、その間にシャッタ１２６の開閉が行われる。シャッタ１２６が閉じられると、撮像素子１２７の電荷蓄積動作は停止し、画像Ｂの画像信号の読み出しおよびＡ／Ｄ変換が開始される。また、絞り１２２の開放動作および可動ミラー１２４のダウン位置への移動動作が行われる。
【００８７】
画像Ｂの画像信号の読み出しおよびＡ／Ｄ変換が終了すると、デジタル画像信号は一時的にＳＤＲＡＭ１４８の連写データ蓄積領域に順番に格納される。この画像データはコンポジット信号に変換処理され、このコンポジット信号は液晶表示器１０８に供給されると、ＬＣＤ１０８ａには撮像された画像Ｂが表示され、ファインダ装置１３０内の第２表示領域１９０ｄで視認可能となる。なお、画像Ｂへの電子画像表示更新指示が出るまで、ファインダ装置１３０の第２表示領域１９０ｄには、画像Ａが表示される。
【００８８】
時刻Ｔ６においても、レリーズ釦の深押し操作が継続し、第２レリーズスイッチがオンになっている場合、時刻Ｔ４、Ｔ５と同様の動作が繰り返され、画像Ｃの撮像動作が行われる。なお、画像Ｃへの電子画像表示更新指示が出るまで、ファインダ装置１３０の第２表示領域１９０ｄには、画像Ｂが表示されている。
【００８９】
時刻Ｔ７において、レリーズ釦の深押し操作が終了し、第２レリーズスイッチがオフになると、連写が終了する。ただし、画像Ｃの画像信号の読み出しおよびＡ／Ｄ変換が行われ、画像Ｃへの表示更新動作は継続して行われる。
【００９０】
時刻Ｔ８において、レリーズ釦の半押し操作が終了し、第１レリーズスイッチがオフになった場合、ファインダ装置１３０の第２表示領域１９０ｄへの電子画像表示は停止する。
【００９１】
なお、上記動作シーケンスにおいて、画像信号の読み出し、Ａ／Ｄ変換、画像データのメモリ（ＳＤＲＡＭ１４８）への格納、絞り１２２の開放、および可動ミラー１２４の第１の位置（ダウン位置）への復帰は、次のコマの撮影準備動作である。この撮影準備動作に同期して第２表示領域１９０ｄに表示される電子画像の更新が行われる。
【００９２】
このように、第１の実施形態のカメラによれば、ファインダから目を離すことなく物体の光学像の観察を可能としたままで、電子画像を以って撮影された画像の状態、カメラの設定状態および撮影補助情報を確認可能とした。従って、シャッタチャンスを逃すといったことのない新規のカメラを実現することができる。より詳細には、ファインダ内に光学像とともに示した電子画像によって、光学ローパスフィルタ上に付着した異物の写り込みや、撮像素子防振機構１７１の作動による構図の変化などを知ることができる。また、ホワイトバランス、画像の振れ、ピントなどの情報も知ることができる。この結果、撮影の失敗を未然に防ぐことが可能である。しかも、撮影した画像の状態を確認する際、光学像が見えたままでファインダから目を離す必要がないので、シャッタチャンスを逃すといったことがなくなる。また、光学像と電子画像が重なっていないので、どちらも良好に視認可能である。また、次のコマの撮影準備動作に同期して電子画像が表示されるので、撮影後、直ちに上記確認を行うことができる。
【００９３】
図１１は本発明の表示動作を説明するブロック図であり、ＣＰＵ１４１には表示手段であるＬＣＤ１０８ａを駆動する表示駆動部１４１ａ、表示駆動部１４１ａに入力する。そして、その撮像素子１２７で光電変換された電子画像の表示倍率を調整する表示倍率調整部１４１ｂ、合焦状態検出部１３９（焦点検出装置）の出力に基づいて画像上の合焦位置を演算する。さらに、その表示を指示する合焦位置表示部１４１ｆ、合焦位置表示部１４１ｆの出力に基づいて表示部１０８ａに表示する拡大領域と同じ領域を光学像表示部１８５（有機ＥＬ素子）を表示する。また、第１の表示領域に表示させるべく光学像表示駆動部１４１ｅに光学像上における切り出し領域を指定する拡大領域表示部１４１ｄ、ズームやピントの情報を得る光学条件検出部（ズーム）を有する。さらに、撮影距離検出部（ピント）（図１におけるズーム・ピント・防振駆動回路１３４）、撮像部１２７の信号より被写体認識を行う被写体認識部１４１ｈを有する。さらに、被写体認識部１４１ｈの情報に基づいて電子画像上の被写体の位置を検出する被写体認識位置検出手１４１ｇ、観察者の視線を入力する視線入力部２００の出力に基づいて観察者の第１の領域における視線方向を検出する視線方向検出部１４１ｊを有する。
【００９４】
ここで本実施形態の動作を説明する。
【００９５】
撮像素子１２７の画像情報に基づいて、被写体像から顔領域検出を行い、被写体認識部１４１ｈが例えば人物の顔位置を主被写体領域と判定する。合焦状態検出部１３９により被写体のピント状態を検出し、その後撮影レンズを駆動して判定された主被写体領域に合焦させる。この時、第１の表示領域の光学像には合焦位置が光学像表示部１８５（有機ＥＬ）によりスーパーインポーズ表示される。そして、露光が行われると、露光して撮像素子に蓄積された画像情報が表示部１０８ａに表示される。
【００９６】
この時、表示倍率調整部１４１ｂは始めは表示倍率１を表示駆動部１４１ａに与える。即ち蓄積された電子画像全ての領域が表示部に表示される。また、同時にその電子画像上にも合焦位置表示部１４１ｆの出力により合焦している領域が表示される。その後所定時間（例えば２秒）後に、その合焦位置を中心にして電子画像の拡大像が表示部１０８ａに表示される。
【００９７】
即ち表示倍率調整部１４１ｂは表示部１０８ａに電子画像の等倍像を表示して後に所定時間後に表示部１０８ａに拡大画像を表示する訳であるが、このとき図１３に示すように合焦領域１９７ａを中心にした拡大画像を切り出し表示する。
【００９８】
図１２では第１の表示領域１９１における主被写体１９８に対して合焦しており、実線で示す測距枠１９７ａ（図８における１９７に相当）が光学像表示部１８５（有機ＥＬ）によりスーパーインポーズ表示される。このとき、その他の測距枠（例えば破線で示す測距枠１９７ｂ）は表示されない。
【００９９】
この時再生画像は、始めは電子画像全ての領域を表示する（図１２）。すなわち撮影された被写体像全体を表示する。その後、所定時間（例えば２秒後）経過した後には、図１３に示すように被写体像中の合焦領域を中心にした拡大画像が第２表示領域１９０ｄに表示される。この時の表示倍率は表示倍率調整部１４１ｂで調整されるわけであるが、その倍率の設定について以下に説明する。
【０１００】
表示倍率調整部１４１ｂには撮影倍率検出部１４１ｉの信号が入力している。撮影倍率検出部は光学条件検出部と撮影距離検出部１３４からズーム情報及びピント情報（レンズの繰出し情報）が入力され、それにより撮影倍率が計算される。
【０１０１】
ここで、撮影倍率とは撮像部１２７上に被写体がどれだけ縮小されて結像するかの倍率であり、例えば撮影倍率１の場合には被写体と同じ大きさが撮像素子上に投影される、極めて近接撮影の場合である。また、撮影倍率０．０５程度では人物の顔がだいたい撮像面上に納まる程度に投影される。
【０１０２】
ここで表示部１０８ａの役割は、主被写体である人物の顔を表示部１０８ａいっぱいに表示して、その表情を撮影者に伝え、次の撮影に役立たせることである。そこで、撮影倍率検出部１４１ｉは、演算した撮影倍率に基づいて表示倍率調整部１４１ｂに電子画像の拡大倍率を設定し、その倍率で表示を行わせる。このようにズームや撮影距離に応じて表示の拡大率を変化させているので、ズームや撮影距離によらず、常に一定の大きさで顔の表示を表示部１０８ａに表示させることができ、それを図１３に示すように第２表示領域１９０ｄに表示できる。
【０１０３】
その為、撮影者などのような撮影条件であっても第２表示領域１９０ｄで主被写体である人物の表情を確認しつつ、第１表示領域１９１で次の撮影に備えることができる。
【０１０４】
前述したように表示部１０８ａにて表示される領域は、拡大領域設定部１４１ｃが設定する。そして、その領域は拡大領域表示部１４１ｄ、光学像表示駆動部１４１ｅを介して光学像表示部１８５に図１３で示すように、第１表示領域１９１上に枠１９７Ｃで示すようにスーパーインポーズ表示される。このように、図１２に示すように始めは全体電子画像を表示し、その後（２秒後）に図１３に示すように第２表示領域に撮影者が望むであろう拡大表示を行うことで、撮影者は全体像を掴むと共に速やかに部分像の詳細チェックができる。
【０１０５】
また、撮影者が図１３の第２表示領域以外の領域の拡大像を観察したい時には、撮影者は第１表示領域１９１における観察しい領域を注視する。すると視線入力部１９９はその視線状態を検出し、視線方向検出部１４１ｊに出力する。視線方向検出部１４１ｊはその時の撮影者の注視領域を計算し、その結果を合焦位置表示部１４１ｆに送る。
【０１０６】
合焦位置表示部１４１ｆはその領域を拡大表示すべく拡大領域設定部１４１ｃに拡大領域を出力し、表示駆動部１４１ａは拡大領域を変更する。撮影者は光学像注視後、第２表示領域を見ると、所望の領域の拡大像を観察することができる。
【０１０７】
図１４は以上の動作を説明するフローチャートであり、このフローはカメラの電源オンでスタートする。尚、このフローにおいて本発明と直接関係のない動作は省いている。
【０１０８】
ステップＳ２１では撮影終了を待機する。ステップＳ２２では、撮影終了後の再生画像全体を表示部１０８ａにて第２表示領域に表示する。ステップＳ２３では、被写体認識認識結果に基づく領域内の合焦位置や、光学条件検出部／撮影距離検出部１３４で求められる撮影倍率が確認される。
【０１０９】
ステップＳ２４では所定時間（例えば２秒）このステップで待機する。この待機中にレリーズボタンの半押し（ＳＷ１）が離された場合には（ステップＳ２６）ステップＳ２１に戻り、次の撮影を待機する。
【０１１０】
そして、それまでの間は再生全体画像を第２表示領域に表示する。
【０１１１】
所定時間が経過すると、ステップＳ２５で、ステップＳ２３において確認された合焦位置を中心に、および撮影倍率に基づく表示倍率で電子画像を拡大表示する。ここで合焦位置を中心にして画像の拡大を行うということは、被写体認識部１４１ｈが選択した領域（例えば人物の顔）の合焦位置を中心にして画像を拡大することでもある。したがって、合焦位置とは無関係に被写体認識部の設定した位置を中心に画像の拡大を行っても良い。
【０１１２】
また、ステップＳ２５では同時に第１表示領域にも第２表示領域における拡大領域（切り出し領域）をスーパーインポーズ表示する。ステップＳ２７では撮影者の第１表示領域内での視線変化を検出しており、変化が検出されない場合、或いは第１表示領域外での視線変化の場合には、このステップで待機する。即ち拡大画像を表示した状態で待機する。
【０１１３】
また、この待機中にレリーズボタンの半押し（ＳＷ１）が離された場合には（ステップＳ２９）、ステップＳ２１に戻り次の撮影を待機する。
【０１１４】
第１表示領域外内での視線変化が検出されると、ステップＳ２８で視線検出を行う。ステップＳ２９では視線検出結果に伴い拡大表示領域を変更する。具体的には、再生画像において第１表示領域で撮影者が注視していた領域を拡大表示する。
【０１１５】
ステップＳ３０でレリーズボタンの半押し（ＳＷ１）が離された場合には、ステップＳ３１に進み、そうでない場合にはステップステップＳ２７に戻り拡大表示を継続する。ステップＳ３１では、電子画像の拡大表示を全体表示に戻しステップＳ２１に戻る。
【０１１６】
以上説明したように本実施形態によれば、物体の光学像の観察を可能としたままで、電子画像を以って撮影された画像の状態、カメラの設定状態および撮影補助情報を確認可能である。更に表示倍率調整部１４１ｂにより、電子画像の拡大を行うことで画像の確認を行い易くしている。
【０１１７】
また、電子画像上の合焦領域１９７ａを中心にして表示倍率を大きくしている（図１４のステップＳ２５）ので、撮影者が最も確認したい領域を直ちに拡大表示できる。
【０１１８】
また、合焦が確認された後に表示倍率を大きくしているので（図１４のステップＳ２４）、合焦前までは画像全体を確認でき、合焦後は合焦位置の画像詳細を直ちに拡大して確認で、画像全体の把握と必要な情報の詳細の把握を速やかに確認できる。
【０１１９】
また、表示部１０８ａの拡大領域を光学像に表示する拡大領域表示部１４１ｄを設けているので、電子画像で確認できる画像の拡大部と、それが画像のどの領域の拡大像であるかを示す光学像を同時に確認できる。
【０１２０】
また、被写体認識位置（例えば画像上の顔の位置）を中心にして表示部の表示倍率を大きくしている（図１４のステップＳ２５）ので、撮影者が最も確認したい領域を直ちに拡大表示できる。
【０１２１】
また、被写体認識位置を表示した後に表示部の表示倍率を大きくしているので（図１４のステップＳ２４）、被写体認識前までは画像全体を確認できる。そして、認識後は認識位置（顔など）の画像詳細を直ちに拡大して確認で、画像全体の把握と必要な情報の詳細の把握を速やかに確認できる。
【０１２２】
また、撮影倍率に応じて表示部の表示倍率を変更しているので（図１４のステップＳ２５）、電子画像には常に一定の倍率の像が表示され、撮影時の焦点距離や被写体距離によらず、常に一定の倍率（例えば顔の大きさ）で被写体を確認できる。
【０１２３】
また、光学像を観察する観察者の視線方向を検出する視線方向検出部１４１ｊと、視線方向検出部の出力に基づいて前記表示部の拡大領域を設する拡大領域設定部（図１４のステップＳ２９）を有するので、電子画像上で直ちに表示可能になる。
【０１２４】
［第２の実施形態］
図１５は第２の実施形態におけるデジタル一眼レフカメラの一部の構成を示す図である。前記第１の実施形態との構成の差異は、ファインダ装置へ光路を分割するために固定のペリクルミラーを用いていること、これに伴ってミラー駆動回路を必要としないことである。また、撮像素子の出力による山登りＡＦでピント合わせを行い、ＡＦセンサ駆動回路を有さないことである。また、撮像素子を連続的に駆動することで、静止画像ばかりでなく動画像も撮像可能に構成されていることである。
【０１２５】
デジタル一眼レフカメラ２００は、照明ユニット２０１、撮影レンズ２２０、固定のペリクルミラー２２４、シャッタ２２６、アスペクト比３：２の矩形の撮像部を有する撮像素子２２７、ファインダ装置２３０および内蔵プリンタ２６０を有する。なお、第２の実施形態のデジタル一眼レフカメラの構成において、特に図示されていない構成要素については、前記第１の実施形態と同様であり、同一の符号が用いられる。
【０１２６】
撮影レンズ２２０は、複数のレンズ群２２１、２６７、２２３で構成され、これらのレンズ群の間には、絞り機構（単に絞りという）２２２が設けられている。複数のレンズ群２２１、２６７、２２３の後方には、光路分岐部である固定のペリクルミラー１２４が設けられており、入射する可視光（入射光）をおよそ１対１の割合で透過光および反射光に分割する。尚、ここでは入射する可視光（入射光）をおよそ１対１の割合で透過光および反射光に分割しているが、必ずしもこの割合である必要は無く、また、ペリクルミラーではなく、公知のビームスプリッタやハーフミラーで光路の分割を行ってもよい。固定のペリクルミラー２２４の反射光路上には、フォーカシングスクリーン２３１、ペンタプリズム２３２、接眼レンズ２３３等から構成されるファインダ光学系が設けられている。ファインダ装置２３０は、このファインダ光学系の他、液晶表示器２０８、測光レンズ２５５、測光センサ２５６等を有する。
【０１２７】
撮影レンズ２２０のレンズ群２２１、２６７、２２３を透過した物体光は、固定のペリクルミラー２２４で反射され、フォーカシングスクリーン２３１上に結像される。観察者は、このフォーカシングスクリーン２３１に結像された光学像（物体像）を、ペンタプリズム２３２および接眼レンズ２３３を介し、接眼窓２６８を通して視認する。光学像を観察する利点は、時間遅れが事実上無いことである。
【０１２８】
測光センサ２５６は、測光レンズ２５５を介してフォーカシングスクリーン２３１上の物体像の明るさを測光するセンサである。測光センサ２５６は、ファインダ装置２３０内にあって、測光レンズ２５５とともに、接眼レンズ２３３の観察光軸から偏心した測光軸上の位置に設けられている。また、測光センサ２５６は、複数に分割された受光面を有するフォトダイオードで形成されており、フォトダイオードから個々に出力された輝度信号を用いて、露光制御を行う際の物体輝度情報（ＢＶ値）を求める。
【０１２９】
固定のペリクルミラー２２４の後方には、シャッタ２２６、除塵機構２６９、およびＣＣＤやＣＭＯＳイメージャ等の撮像素子２２７が設けられている。
【０１３０】
シャッタ２２６は、レリーズ釦の半押し操作に連動して開放され、物体像を撮像素子２２７の受光面に導く。撮像素子２２７の受光面に物体像が導かれると、撮像素子２２７の出力を利用して撮影レンズ２２０のレンズ群２２１、２６７、２２３が駆動され、物体へのピント合わせが行われる。なお、除塵機構２６９および撮像素子防振機構２７１の機能は、前記第１の実施形態における除塵機構１６９および撮像素子防振機構１７１の機能と同様である。
【０１３１】
図１６は図１１の矢印ｈ方向から視たファインダ装置２３０の主要部分の構成を示す平面図である。図１７は図１１の矢印ｉ方向から視たファインダ装置２３０の主要部分の構成を示す側面図である。
【０１３２】
固定のペリクルミラー２２４で反射・分岐した光路上には、フォーカシングスクリーン２３１、コンデンサレンズ２８０およびペンタプリズム２３２が設けられている。撮影レンズ２２０のレンズ群２２１、２６７、２２３によってフォーカシングスクリーン２３１上に結像した物体光は、コンデンサレンズ２８０およびペンタプリズム２３２を透過し、面２３２ｃからアイカップ２８６で囲まれた接眼窓２６８の方向へ射出する。さらに、物体光は、ダイクロミラー２８２を透過し、接眼レンズ２３３を介して、アイカップ２８６に保護されながら接眼窓１６８を覗く観察者の目に到達し、その網膜上に再結像する。
【０１３３】
また、ダイクロミラー２８２は、有機ＥＬ表示素子（図示せず）から発せられた光を接眼窓２６８方向に反射する。視野マスク２７９は、撮像素子２２７で撮像される物体像範囲を示す矩形開口を有しており、ファインダ観察者は、有機ＥＬ表示素子によって示された測距点位置情報を視野マスク２７９内の物体像と重ねて見ることができる。
【０１３４】
液晶表示器２０８は、ＬＣＤ２０８ａおよびバックライト２０８ｂから構成される。ＬＣＤ２０８ａは、１６：９のアスペクト比を有するカラーの表示部（ＬＣＤ表示領域）２０８ｄを有し、これをファインダ視野内の電子画像表示に供している。
【０１３５】
ＬＣＤ表示領域２０８ｄを発した光線２９３は、ペンタプリズム２３２の面２３２ｂからペンタプリズム２３２内に入射し、ペンタプリズム２３２の面２３２ｃから射出する。接眼レンズ２３３からＬＣＤ表示領域２０８ｄまでの光路長は、接眼レンズ２３３からフォーカシングスクリーン２３１までの光路長に近く、ＬＣＤ表示領域２０８ｄの視度とフォーカシングスクリーン２３１の視度とは実質的に合致する。
【０１３６】
図１８はファインダ視野内の表示を示す図である。ファインダ視野内の表示は、接眼窓２６８を通して観察可能な第１表示領域２９１、第２表示領域２９０ｄ、第３表示領域２４０、第４表示領域２４１および測距点位置情報２９７から構成される。第１表示領域２９１は、視野マスク２７９の開口によって規定された被写体である物体の光学像を示す。第２表示領域２９０ｄは、第１表示領域２９１の右側方にあって、ＬＣＤ２０８ａのＬＣＤ表示領域２０８ｄに基づく画像による情報表示を行う。第３表示領域２４０は、第１表示領域２９１の下方にあって、文字列やアイコンによる情報表示を行う。第４表示領域２４１は、第１表示領域２９１の右側方にあって、文字列やアイコンによる情報表示を行う。測距点位置情報２９７は、第１表示領域２９１の内部にあって、有機ＥＬ表示素子によって示される。
【０１３７】
この際、第２表示領域２９０ｄ、第３表示領域２４０、第４表示領域２４１および測距点位置情報２９７の表示輝度は、いずれも測光センサ２５６および測光レンズ２５５からなる測光装置の出力に基づき、視認するに適切な値に制御される。
【０１３８】
縦長の形状を有する第２表示領域２９０ｄに表示されている電子画像は、情報表示の１つとして、画素の間引きを行って秒間６０コマ程度のフレームレートに高めた、リアルタイムの撮影画像（ＥＶＦ（エレクトリックビューファインダー）画像）である。第２表示領域２９０ｄには、測距点位置情報２９７付近の部分画像が表示されている。このＥＶＦ画像によって、光学ローパスフィルタ上に付着した異物の写り込み、撮像素子防振機構２７１の作動による構図の変化、ホワイトバランス、画像のピントなどを知ることができる。また、撮像素子２２７の全画面から撮像エリアを切り出すクロップ機能を搭載し、ＥＶＦ画像をこの切り出した画像としてもよい。
【０１３９】
図１９はＣＰＵ１４１の動作シーケンスに基づくカメラ動作を示すタイミングチャートである。ここでは、レリーズ釦の半押し操作が行われた後、レリーズ釦の深押し操作によって３コマの撮影が行われ、その後、レリーズ釦の半押し操作が少しの間継続している状態が表されている。
【０１４０】
まず、時刻Ｔ１において、第１レリーズスイッチがオフからオンに切り換わると、直ちに測光および露光量演算が行われる。この後、シャッタ２２６が開放され、秒間６０コマ程度のフレームレートで、撮像素子２２７によってリアルタイム画像Ｒ１が撮像され、ファインダ装置２３０の第２表示領域２９０ｄに表示される。
【０１４１】
時刻Ｔ２において、第２レリーズスイッチがオフからオンに切り換わると、撮影レンズ２２０の絞り２２２が絞り込まれる。
【０１４２】
時刻Ｔ３において、画像Ａのための撮像素子２２７の電荷蓄積動作が開始され、所定の秒時が経過すると、撮像素子２２７の電荷蓄積動作は停止し、画像Ａの画像信号の読み出しおよびＡ／Ｄ変換が行われるとともに、絞り２２２の開放動作が行われる。画像Ａの画像信号の読み出しおよびＡ／Ｄ変換が終了すると、デジタル画像信号は一時的にＳＤＲＡＭ１４８の連写データ蓄積領域に順番に格納される。デジタル画像信号（画像データ）はコンポジット信号に変換処理される。
【０１４３】
このコンポジット信号は液晶表示器２０８に供給されると、ＬＣＤ２０８ａには撮像された電子画像Ａが表示され、ファインダ装置２３０内の第２表示領域２９０ｄで視認可能となる。なお、画像Ａへの電子画像表示更新指示が出るまで、ファインダ装置２３０の第２表示領域２９０ｄには、画像Ｒ１が時刻Ｔ１から継続して表示されている。
【０１４４】
時刻Ｔ４においても、レリーズ釦の深押し操作が継続し、第２レリーズスイッチがオンになっているので、再び撮影レンズ２２０の絞り２２２が絞り込まれる。
【０１４５】
時刻Ｔ５において、画像Ｂのための撮像素子２２７の電荷蓄積動作が開始され、所定の秒時が経過すると、撮像素子２２７の電荷蓄積動作は停止し、画像Ｂの画像信号の読み出しおよびＡ／Ｄ変換が行われるとともに、絞り２２２の開放動作が行われる。
【０１４６】
画像Ｂの画像信号の読み出しおよびＡ／Ｄ変換が終了すると、デジタル画像信号は一時的にＳＤＲＡＭ２４８の連写データ蓄積領域に順番に格納される。デジタル画像信号（画像データ）はコンポジット信号に変換処理される。
【０１４７】
このコンポジット信号は液晶表示器２０８に供給されると、ＬＣＤ２０８ａには撮像された電子画像Ｂが表示され、ファインダ装置２３０内の第２表示領域２９０ｄで視認可能となる。なお、画像Ｂへの電子画像表示更新指示が出るまで、ファインダ装置２３０の第２表示領域２９０ｄには、画像Ａが表示される。
【０１４８】
時刻Ｔ６においてもレリーズ釦の深押し操作が継続し、第２レリーズスイッチがオンになっているので、時刻Ｔ４以降と同様の動作が繰り返され、画像Ｃの撮像動作が行われる。
【０１４９】
時刻Ｔ７において、レリーズ釦の深押し操作が終了し、第２レリーズスイッチがオフになったので、連写が終了する。ただし、画像Ｃの画像信号の読み出しおよびＡ／Ｄ変換は、継続して行われる。その後、再び秒間６０コマ程度のフレームレートで、撮像素子２２７によってリアルタイム画像Ｒ２が撮像され、ファインダ装置２３０内の第２表示領域２９０ｄに表示される。
【０１５０】
時刻Ｔ８において、レリーズ釦を半押し操作が終了し、第１レリーズスイッチがオフになったので、ファインダ装置２３０内の第２表示領域２９０ｄへの電子画像表示は停止し、シャッタ２２６が閉じられる。
【０１５１】
上記動作シーケンスにおいて、画像信号の読み出し、Ａ／Ｄ変換、画像データのメモリへの格納および絞り２２２の開放は、次のコマの撮影準備動作である。
【０１５２】
このように、第２の実施形態のカメラによれば、第２表示領域内のＥＶＦ画像によって、光学ローパスフィルタ上に付着した異物の写り込み、撮像素子防振機構の作動による構図の変化、ホワイトバランス、画像のピントなどを知ることができる。
【０１５３】
従って、撮影の失敗を未然に防ぐことが可能である。しかも、ファインダから目を離す必要がないので、光学像は見えたままであって、電子画像の状態を確認するためにシャッタチャンスを逃すことが無くなる。また、光学像と電子画像とが重なっていないので、どちらも良好に視認可能である。また、次のコマの撮影準備動作に同期して電子画像が表示されるので、撮影後直ちに上記確認を行うことができる。
【０１５４】
ところで第２の実施形態のように、電子画像がほぼリアルタイムに比較確認できる構成では、その電子画像として拡大画像を表示する場合には手振れにより画像が確認し難くなる問題がある。
【０１５５】
そこで本実施形態においては、手振れの大きさにあわせて表示の拡大率を変更し、振れが小さい時には表示拡大倍率を大きくして画像の詳細を確認できるようにしている。そして、振れが大きいときには表示拡大率を下げて、画像の大きな揺れによる不快感を防ぐようにしている。
【０１５６】
図２０においては、図１１のブロックに振れ検出部２９８が加えられ、その出力が表示倍率調整部１４１ｂに入力している。そして振れ検出部の出力に基づいて、表示倍率を調整している。なお、図１１と同じ符番を付した構成については、第１の実施形態と同様であるので、その説明を省略する。
【０１５７】
図２１はその調整フローを示しており、このフローは電子画像が表示されるとスタートする。
【０１５８】
ステップＳ３２では振れ検出部の信号をとりこむ。ステップＳ３３では振れ検出部の信号（振れ角度）が所定の値（例えば０．１度）以下であるか否かを判定しており、所定以下の場合はステップＳ３４に進み、所定より大きい時はステップＳ３５に進む。ステップＳ３４では現状の表示倍率が低い場合には表示倍率を大きくし、現状の表示倍率が高い場合にはその倍率を保持する。
【０１５９】
ステップＳ３５では現状の表示倍率が低い場合にはその倍率を保持し、現状の表示倍率が高い場合にはその倍率を低くしステップＳ３２に戻る。
【０１６０】
このように振れが小さい時には表示倍率を高くして画像の詳細を確認可能にすると共に、振れが大きい時には表示倍率を下げて安定した電子画像を表示することで、常に確認し易い表示形態を実現している。
【０１６１】
本実施形態によれば、振れ検出部２９８出力に基づいて表示部１０８ａの表示倍率を変更しているので、振れが少ない時は高倍率で電子画像情報を詳細に評価でき、また、振れが大きい時は倍率を下げて安定した電子画像情報を確認できる。
【０１６２】
［第３の実施形態］
第２の実施形態では、振れ検出信号に基づいて表示の拡大率を変更していた。
【０１６３】
しかしながら実際には振れ補正部である撮像素子防振機構２７１の作動により振れは緩和されている。
【０１６４】
ところで、撮像素子防振機構２７１の振れ補正範囲は有限であり、撮像素子を駆動して振れ補正を行う場合には焦点距離が長いほど振れ補正量がそれに比例して多く必要になるため、十分な振れ補正が出来なくなる恐れがある。
【０１６５】
そこで、本実施形態では振れ補正部の出力ではなく、振れ補正部（撮像素子防振機構２７１）の補正ストロークが限界近くになる場合には表示倍率を低くして安定した表示を行い、そうでない場合には表示倍率を高くして画像の詳細を確認できるようにしている。
【０１６６】
図２２はその調整フローを示しており、このフローは電子画像が表示されるとスタートする。
【０１６７】
ステップＳ３６では、振れ補正部（撮像素子防振機構２７１）の現在の振れ補正位置を取り込む。ステップＳ３７では、振れ補正部の補正位置が（振れ補正量）が所定の値（例えば全ストロークの８０％以内）以下であるか否かを判定しており所定以下の場合はステップＳ３８に進み、所定より大きいときはステップＳ３９に進む。
【０１６８】
ステップＳ３８では現状の表示倍率が低い場合には表示倍率を大きくし、現状の表示倍率が高い場合にはその倍率を保持する。
【０１６９】
ステップＳ３９では現状の表示倍率が低い場合にはその倍率を保持し、現状の表示倍率が高い場合にはその倍率を低くしステップＳ３６に戻る。
【０１７０】
このように、振れ補正ストロークが所定以内の時には表示倍率を高くして画像の詳細を確認可能にすると共に、所定を超える場合には表示倍率を下げて安定した電子画像を表示することで、常に確認し易い表示形態を実現している。
【０１７１】
以上説明したように本実施形態によれば、振れ補正部（撮像素子防振機構２７１）の状態に応じて表示部１０８ａの表示倍率を変更することで、振れが十分補正されているときには高倍率で電子画像情報を詳細に評価できる。また、振れ補正精度が低い時は倍率を下げて安定した電子画像情報を確認できる。
【０１７２】
［第４の実施形態］
第３の実施形態においては、振れ補正能力が不足するとき（振れ補正範囲を使い切る）には表示倍率を下げていた。
【０１７３】
ここで振れ補正範囲は、前述したように撮影レンズ１２０の焦点距離が長いほど不足する傾向にある。その為、撮像素子防振機構においては撮影直前に一旦撮像素子防振機構２７１を中心位置に戻し（初期化）、そこから振れ補正を再開する構成にするのが望ましい。
【０１７４】
そのようにすると、撮影前までの振れ補正により撮像素子防振機構２７１が周辺領域に移動しており、撮影時に補正ストロークを使いきってしまう問題は防ぐことができる。しかしながら、ファインダー内で光学像と電子画像を比較観察できる構成であると、撮影動作前に電子画像側の変動（撮像素子防振機構２７１の初期化動作による）が目立ってしまう問題がある。
【０１７５】
そこで、本実施形態においては、撮像素子防振機構２７１の初期化動作を行うときは、それ以前の画像をフリーズしておくことで電子画像の変動を見せないようにしている。
【０１７６】
図２３は、本実施形態のブロック図であり、振れ検出部２９８の出力はＣＰＵ１４１の防振制御部１４１ｋに入力し、その出力により振れ補正部（撮像素子防振機構２７１）を駆動して振れ補正を行っている。防振制御部１４１ｋは、振れ補正全般を制御する制御部であるが、ここでは補正初期化部とも呼ぶことにする。なお、図１１と同じ符番を付した構成については、第１の実施形態と同様であるので、その説明を省略する。
【０１７７】
補正初期化部１４１ｋの信号は、表示駆動部１４１ａに撮像素子防振機構２７１の初期化タイミングが入力される。
【０１７８】
表示駆動部が初期化タイミングが入力されると、それ以前の電子画像データを継続して表示し、更新することを止める。その為、撮像素子防振機構の初期化に伴う電子画像の揺れは観察されることはない。
【０１７９】
図２４は以上を説明するフローチャートであり、このフローは電子画像が表示されるとスタートする。
【０１８０】
ステップＳ４０では振れ補正部（撮像素子防振機構２７１）の初期化を行うか否かを判断する。これは、撮像素子防振機構２７１の現在の補正位置が中心付近であり、この補正位置でも露光中も十分振れ補正が可能な場合は初期化は行わず、振れ補正量が大きく、現在の振れ補正位置では露光中に補正ストロークを使いきってしまう恐れがある時には初期化を行う。なお、この判断は、現状使用しているレンズの焦点距離や露光時間によっても変更され、焦点距離の長いレンズや、露光時間が長い時には初期化を行うことになる。
【０１８１】
そして初期化を行わない時にはそのステップで待機し、初期化を行う場合にはステップＳ４１に進む。ステップＳ４１では表示駆動部１４１ａは現在の電子画像情報を継続表示し、その更新を行わない。ステップＳ４２では振れ補正部の初期化を行う。
【０１８２】
ステップＳ４１で更新を止めてフリーズした画像は、撮影者がレリーズボタンの半押しステップＳ１を解除した時、或いは再度ＳＷ１操作を行った時などのように撮影者の操作に伴って再度更新を始める。
【０１８３】
このように撮影者の操作に伴って表示を再開するとそれ以前との画像に連続性がなくても気にならない。
【０１８４】
第２ないし第４の実施形態では、光路分岐部としてペリクルミラーを用いており、その為に撮影に先立って被写体の構図を光学像及び電子画像の両方を確認できる。
【０１８５】
第１の実施形態では、表示部は撮影後の再生電子画像であり、静止画の電子画像のみであるが、第２ないし第４の実施形態では、撮影前の被写体像も第２表示領域で確認できる。
【０１８６】
その為に第２表示領域で手振れの状態も確認でき、更に第２表示領域では撮像素子防振機構２７１による振れ補正の効果も、第１表示領域の光学像と比較して確認できる。
【０１８７】
そして表示倍率調整部１４１ｂにより電子画像の表示倍率が拡大されているときは、振れが目立つので、そのような時には振れ補正の効果がより分かりやすくなる。
【０１８８】
上記効果を確認する為に第３の実施形態では、電子画像表示中に振れ補正のオンオフを行えるようにして撮影者が電子画像を見て、その振れ補正効果を確認できるようにしている。
【０１８９】
図２３において振れ補正作動部２９９は、撮影者が操作可能なボタンなどであり、そのボタンを操作中は振れ補正が行われ、そのボタンを離すと振れ補正が停止される構成になっている。
【０１９０】
また、この振れ補正作動部２９９は静止画撮影中は常にオンになっており、振れのない静止画を撮影できるようになっている。撮影者は電子画像を観察しながらボタンの操作を行うことで振れ補正の効果を確認でき、それに応じて撮影焦点距離や露光時間を設定できる。
【０１９１】
なお、振れ補正作動部２９９は撮影者による操作部でなくともよく、例えば被写体観察中（静止画や動画の撮影はまだ行ってなく、ファインダーを通して被写体の構図を確認している期間）に交番的に振れ補正のオンオフを繰り返してもよい。例えば３秒間隔で振れ補正のオンオフを繰り返し、その状況を撮影者が観察して振れ補正の効果を確認する構成にすることで撮影者は振れ補正の為の操作も不要になり、撮影に集中できる。
【０１９２】
以上説明したように本実施形態によれば、振れ補正部（撮像素子防振機構２７１）の初期化動作時には表示状態を変更する（フリーズする）ことで、初期化に伴う画像変動の表示をやめて常に安定した電子画像情報を確認できる。
【図面の簡単な説明】
【０１９３】
【図１】第１の実施形態におけるデジタル一眼レフカメラの電気回路の概略的構成を示す図である。
【図２】信号処理回路１４５の電気回路の構成およびそれに接続される周辺回路を示すブロック図である。
【図３】ファインダ装置１３０の構成を示す断面図である。
【図４】図３の矢印Ａ方向から視た場合のファインダ装置１３０の構成を示す側面図である。
【図５】液晶表示器１０８のＬＣＤ１０８ａの画面を示す図である。
【図６】ペンタプリズム１３２への光線の入射状態を示す図である。
【図７】ＬＣＤ表示領域１０８ｄに表示される電子画像の位置ズレ状態を示す図である。
【図８】ファインダ視野内の表示を示す図である。
【図９】デジタル一眼レフカメラでスイッチ入力部１４２のレリーズ釦を半押し操作した後に実行される撮像動作手順を示すフローチャートである。
【図１０】ＣＰＵ１４１の動作シーケンスに基づくカメラ動作を示すタイミングチャートである。
【図１１】第１の実施形態における表示倍率制御ブロック図である。
【図１２】第１の実施形態における光学像と電子画像の見え方の説明図である。
【図１３】第１の実施形態における光学像と電子画像の見え方の説明図である。
【図１４】第１の実施形態における拡大表示方法のフローチャートである。
【図１５】第２の実施形態におけるデジタル一眼レフカメラの電気回路の概略的構成を示す図である。
【図１６】図１５の矢印ｈ方向から視たファインダ装置２３０の主要部分の構成を示す平面図である。
【図１７】図１５の矢印ｉ方向から視たファインダ装置２３０の主要部分の構成を示す側面図である。
【図１８】ファインダ視野内の表示を示す図である。
【図１９】ＣＰＵ１４１の動作シーケンスに基づくカメラ動作を示すタイミングチャートである。
【図２０】第２の実施形態における表示倍率制御ブロック図である。
【図２１】第２の実施形態における拡大表示方法のフローチャートである。
【図２２】第３の実施形態における拡大表示方法のフローチャートである。
【図２３】第４の実施形態における表示倍率制御ブロック図である。
【図２４】第４の実施形態における表示制御のフローチャートである。
【符号の説明】
【０１９４】
５０  デジタル一眼レフカメラ
１２７  撮像素子
１３０  ファインダ装置
１４１  ＣＰＵ
１６８  接眼窓
１９０ｄ  第２表示領域
１９１  第１表示領域
【図１】
2010016613.tif 000003
【図２】
2010016613.tif 000004
【図３】
2010016613.tif 000005
【図４】
2010016613.tif 000006
【図５】
2010016613.tif 000007
【図６】
2010016613.tif 000008
【図７】
2010016613.tif 000009
【図８】
2010016613.tif 000010
【図９】
2010016613.tif 000011
【図１０】
2010016613.tif 000012
【図１１】
2010016613.tif 000013
【図１２】
2010016613.tif 000014
【図１３】
2010016613.tif 000015
【図１４】
2010016613.tif 000016
【図１５】
2010016613.tif 000017
【図１６】
2010016613.tif 000018
【図１７】
2010016613.tif 000019
【図１８】
2010016613.tif 000020
【図１９】
2010016613.tif 000021
【図２０】
2010016613.tif 000022
【図２１】
2010016613.tif 000023
【図２２】
2010016613.tif 000024
【図２３】
2010016613.tif 000025
【図２４】
2010016613.tif 000026